(57)【要約】【課題】更なる改善を実現することができる機器制御方法などを提供する。【解決手段】機器制御システム１であって、ウェアラブルデバイス１００は、香料を吹き出すデバイス１０４と、生体センサ１０１と、コンピュータ１０２とを備え、コンピュータ１０２は、生体データをサーバ４００へ送信し、第1の制御信号を受信し、第１の制御信号を受信すると香料をデバイス１０４に吹き出させ、サーバ４００は、コンピュータ４０１を備え、コンピュータ４０１は、生体データを受信し、受信した生体データからユーザの感情を推定し、（ｉ）推定した結果を用いてユーザが快感情であると判定すると、第１の制御信号をウェアラブルデバイスへ送信し、（ｉｉ）香料を吹き出させる第２の制御信号を所定のタイミングでアロマ機器５００へ送信する。【選択図】図６
2017221640.tif 000002
【特許請求の範囲】
【請求項１】
ウェアラブルデバイスおよび情報処理装置を含む機器制御システムであって、
前記ウェアラブルデバイスは、
所定の匂い成分を含む香料を格納する格納部と、
前記格納部に格納されている前記香料を吹き出すデバイスと、
ユーザの生体データを検出する生体センサと、
第１の通信インタフェースと、
第１のコンピュータと、を備え、
前記第１のコンピュータは、
前記生体センサにより検出された前記生体データを前記第１の通信インタフェースを用いて送信し、
前記香料を前記ウェアラブルデバイスに吹き出させる第１の制御信号を前記第１の通信インタフェースを用いて受信し、
前記第１の制御信号を受信すると、前記香料を前記デバイスに吹き出させ、
前記情報処理装置は、
第２の通信インタフェースと、
第２のコンピュータとを備え、
前記第２のコンピュータは、
前記ウェアラブルデバイスで検出された前記生体データを前記第２の通信インタフェースを用いて受信し、
受信した前記生体データを演算処理して前記ユーザの感情を推定し、
推定した結果を用いて前記ユーザが快感情であるか否かを判定し、
（ｉ）前記ユーザが快感情であると判定すると、前記第１の制御信号を前記第２の通信インタフェースを用いて前記ウェアラブルデバイスへ送信し、（ｉｉ）前記香料を保持する環境制御装置に、前記第１の制御信号の送信後の所定のタイミングで前記香料を吹き出させる第２の制御信号を前記第２の通信インタフェースを用いて前記環境制御装置へ送信する
機器制御システム。
【請求項２】
前記第２のコンピュータは、
さらに、前記ユーザの現在位置を示す位置情報を前記第２の通信インタフェースを用いて受信し、
前記所定のタイミングとしての、前記位置情報が示す前記現在位置が予め定められた所定の位置の範囲に含むと判定したタイミングで、前記第２の制御信号を前記環境制御装置へ送信する
請求項１に記載の機器制御システム。
【請求項３】
前記第２のコンピュータは、
さらに、現在時刻を計時しており、
前記所定のタイミングとしての、計時している現在時刻が予め定められた時刻になったタイミングで、前記第２の制御信号を前記環境制御装置へ送信する
請求項１または２に記載の機器制御システム。
【請求項４】
前記第２のコンピュータは、
さらに、前記ユーザの現在位置を示す位置情報、および、前記ユーザのスケジュールを示すスケジュール情報を前記第２の通信インタフェースを用いて受信し、
さらに、現在時刻、前記位置情報および前記スケジュール情報に基づいて、前記ユーザの周囲の状況を推定し、
推定した前記ユーザの前記周囲の状況に応じて、前記ウェアラブルデバイスに吹き出させる香料の種類および当該香料の量の少なくとも一方を決定し、
決定した前記種類および前記量の少なくとも一方の香料を、前記ウェアラブルデバイスに吹き出させる制御信号を、前記第１の制御信号として前記ウェアラブルデバイスへ送信し、
前記第１のコンピュータは、受信した前記第１の制御信号に応じて、前記種類または前記量の香料を前記デバイスに吹き出させる
請求項１から３のいずれか１項に記載の機器制御システム。
【請求項５】
前記第２のコンピュータは、
前記ユーザの前記周囲の状況が、前記ユーザから所定の距離以内の範囲に他の人がいる状況であるか否かを推定し、
前記ユーザから前記所定の距離以内の範囲に他の人がいる状況であると推定した場合、前記ユーザから前記所定の距離以内の範囲に他の人がいない状況であると推定した場合と比較して、前記量を少ない量に決定する
請求項４に記載の機器制御システム。
【請求項６】
前記第２のコンピュータは、
前記ユーザの前記周囲の状況が、前記ユーザが食事中である状況であるか否かを推定し、
前記ユーザが食事中である状況であると推定した場合、前記種類として森林の匂いに決定し、前記ユーザが食事中でない状況であると推定した場合、前記種類として任意の種類の匂いに決定する
請求項４または５に記載の機器制御システム。
【請求項７】
前記格納部は、前記香料として、第１の匂い成分を含む第１の香料を格納する第１の格納部と、前記第１の匂い成分とは異なる第２の匂い成分を含む第２の香料を格納する第２の格納部とを有し、
前記デバイスは、前記第１の格納部に格納されている前記第１の香料と、前記第２の格納部に格納されている前記第２の香料との少なくとも一方を用いることにより、前回吹き出した匂いとは別の匂いを吹き出す
請求項１から３のいずれか１項に記載の機器制御システム。
【請求項８】
ウェアラブルデバイスおよび情報処理装置を含む機器制御システムであって、
前記ウェアラブルデバイスは、
所定の匂い成分を含む香料を格納する格納部と、
前記格納部に格納されている前記香料を吹き出すデバイスと、
ユーザの生体データを検出する生体センサと、
第１の通信インタフェースと、
第１のコンピュータと、を備え、
前記第１のコンピュータは、
前記生体センサにより検出された前記生体データを前記第１の通信インタフェースを用いて送信し、
前記香料を前記ウェアラブルデバイスに吹き出させる第１の制御信号を前記第１の通信インタフェースを用いて受信し、
前記第１の制御信号を受信すると、前記香料を前記デバイスに吹き出させ、
前記情報処理装置は、
第２の通信インタフェースと、
第２のコンピュータとを備え、
前記第２のコンピュータは、
前記ウェアラブルデバイスで検出された前記生体データを前記第２の通信インタフェースを用いて受信し、
受信した前記生体データを演算処理して前記ユーザの感情を推定し、
推定した結果を用いて前記ユーザが快感情であるか否かを判定し、
前記ユーザが快感情であると判定すると、前記第１の制御信号を前記第２の通信インタフェースを用いて前記ウェアラブルデバイスへ送信し、
前記第１の制御信号の送信後、識別情報を生成してメモリに記録する
機器制御システム。
【請求項９】
ウェアラブルデバイスおよび情報処理装置を含む機器制御システムであって、
前記ウェアラブルデバイスは、
第１の通信インタフェースと、
第１のコンピュータと、を備え、
前記第１のコンピュータは、
前記ウェアラブルデバイスを装着しているユーザが快感情であるときに嗅いだと推定される匂いの匂い成分を示す匂い情報をメモリに記憶し、
前記匂い情報を前記第１の通信インタフェースを用いて送信し、
前記情報処理装置は、
第２の通信インタフェースと、
第２のコンピュータとを備え、
前記第２のコンピュータは、
前記匂い情報を前記第２の通信インタフェースを用いて受信し、
香料を保持する環境制御装置に、受信した前記匂い情報が示す前記匂い成分を含む前記香料を所定のタイミングで吹き出させる制御信号を前記第２の通信インタフェースを用いて前記環境制御装置へ送信する
機器制御システム。
【請求項１０】
ウェアラブルデバイスであって、
所定の匂い成分を含む香料を格納する格納部と、
前記格納部に格納されている前記香料を吹き出すデバイスと、
ユーザの生体データを検出する生体センサと、
通信インタフェースと、
コンピュータと、を備え、
前記コンピュータは、
前記生体センサにより検出された前記生体データを前記通信インタフェースを用いて送信し、
前記香料を前記ウェアラブルデバイスに吹き出させる制御信号を前記通信インタフェースを用いて受信し、
前記制御信号を受信すると、前記香料を前記デバイスに吹き出させる
ウェアラブルデバイス。
【請求項１１】
ウェアラブルデバイスおよび環境制御装置に通信接続されている情報処理装置であって、
通信インタフェースと、
コンピュータと、を備え、
前記コンピュータは、
前記ウェアラブルデバイスを装着しているユーザの生体データであって、当該ウェアラブルデバイスで検出された生体データを、前記通信インタフェースを用いて受信し、
受信した前記生体データを演算処理して前記ユーザの感情を推定し、
推定した結果を用いて前記ユーザが快感情であるか否かを判定し、
（ｉ）前記ユーザが快感情であると判定すると、香料を保持する前記ウェアラブルデバイスに、前記香料を吹き出させる第１の制御信号を前記通信インタフェースを用いて前記ウェアラブルデバイスへ送信し、（ｉｉ）前記香料を保持する前記環境制御装置に、前記第１の制御信号の送信後の所定のタイミングで前記香料を吹き出させる第２の制御信号を前記通信インタフェースを用いて前記環境制御装置へ送信する
情報処理装置。
【請求項１２】
ユーザの生体データを検出する生体センサと、通信インタフェースと、所定の匂い成分を含む香料を格納する格納部と、前記格納部に格納されている前記香料を吹き出すデバイスと、コンピュータとを備えるウェアラブルデバイスが行う香料吹き出し方法であって、
前記ユーザの生体データを、前記生体センサで検出し、
前記コンピュータが、前記生体センサにより検出された前記生体データを、前記通信インタフェースを用いて情報処理装置へ送信し、
前記コンピュータが、制御信号を情報処理装置から前記通信インタフェースを用いて受信し、
前記コンピュータが、前記制御信号を受信すると、前記ウェアラブルデバイスが備える格納部に格納されている香料を前記デバイスに吹き出させる
香料吹き出し方法。
【請求項１３】
ウェアラブルデバイスおよび環境制御装置に通信接続されている情報処理装置が備えるコンピュータが行う機器制御方法であって、
前記ウェアラブルデバイスが備える生体センサにより検出されたユーザの生体データを受信し、
受信した前記生体データを演算処理して前記ユーザの感情を推定し、
推定した前記ユーザの感情が快感情であるか否かを判定し、
前記判定の結果、前記ユーザが快感情である場合、前記ウェアラブルデバイスが備える、香料を吹き出すデバイスに、前記香料を吹き出させ、
前記香料を吹き出させた後に所定のタイミングになったか否かを判定し、
前記所定のタイミングになったと判定した場合、前記香料を保持する環境制御装置に、前記香料を吹き出させる
機器制御方法。
【発明の詳細な説明】
【技術分野】
【０００１】
本発明は、機器制御システム、ウェアラブルデバイス、情報処理装置、香料吹き出し方法および機器制御方法に関する。
【背景技術】
【０００２】
従来、被験者に対して香りのカテゴリーを指定し、指定されたカテゴリーの中から過去の記憶を想起する香りを回答させることで、嗜好性の高い香りを決定する、製品に付すべき香りの選択方法が開示されている（特許文献１参照）。つまり、特許文献１では、匂いから過去の記憶を想起することが開示されている。
【先行技術文献】
【特許文献】
【０００３】
【特許文献１】特開２０１２−１２１８３６号公報
【特許文献２】特開２０１２−１２０２０６号公報
【特許文献３】特開２０１５−４６０６５号公報
【非特許文献】
【０００４】
【非特許文献１】「ストレス課題によるポジティブ感情とネガティブ感情の変化」、阿久津洋巳・小田島裕美・宮聡美、岩手大学教育学部研究年報  第６８巻（２００９．２）１−８
【発明の概要】
【発明が解決しようとする課題】
【０００５】
しかし、特許文献１では、更なる改善が必要とされていた。
【課題を解決するための手段】
【０００６】
本発明の一態様に係る機器制御システムは、ウェアラブルデバイスおよび情報処理装置を含む機器制御システムであって、前記ウェアラブルデバイスは、所定の匂い成分を含む香料を格納する格納部と、前記格納部に格納されている前記香料を吹き出すデバイスと、ユーザの生体データを検出する生体センサと、第１の通信インタフェースと、第１のコンピュータと、を備え、前記第１のコンピュータは、前記生体センサにより検出された前記生体データを前記第１の通信インタフェースを用いて送信し、前記香料を前記ウェアラブルデバイスに吹き出させる第１の制御信号を前記第１の通信インタフェースを用いて受信し、前記第１の制御信号を受信すると、前記香料を前記デバイスに吹き出させ、前記情報処理装置は、第２の通信インタフェースと、第２のコンピュータとを備え、前記第２のコンピュータは、前記ウェアラブルデバイスで検出された前記生体データを前記第２の通信インタフェースを用いて受信し、受信した前記生体データを演算処理して前記ユーザの感情を推定し、推定した結果を用いて前記ユーザが快感情であるか否かを判定し、（ｉ）前記ユーザが快感情であると判定すると、前記第１の制御信号を前記第２の通信インタフェースを用いて前記ウェアラブルデバイスへ送信し、（ｉｉ）前記香料を保持する環境制御装置に、前記第１の制御信号の送信後の所定のタイミングで前記香料を吹き出させる第２の制御信号を前記第２の通信インタフェースを用いて前記環境制御装置へ送信する。
【０００７】
また、本発明の他の一態様に係る機器制御システムは、ウェアラブルデバイスおよび情報処理装置を含む機器制御システムであって、前記ウェアラブルデバイスは、所定の匂い成分を含む香料を格納する格納部と、前記格納部に格納されている前記香料を吹き出すデバイスと、ユーザの生体データを検出する生体センサと、第１の通信インタフェースと、第１のコンピュータと、を備え、前記第１のコンピュータは、前記生体センサにより検出された前記生体データを前記第１の通信インタフェースを用いて送信し、前記香料を前記ウェアラブルデバイスに吹き出させる第１の制御信号を前記第１の通信インタフェースを用いて受信し、前記第１の制御信号を受信すると、前記香料を前記デバイスに吹き出させ、前記情報処理装置は、第２の通信インタフェースと、第２のコンピュータとを備え、前記第２のコンピュータは、前記ウェアラブルデバイスで検出された前記生体データを前記第２の通信インタフェースを用いて受信し、受信した前記生体データを演算処理して前記ユーザの感情を推定し、推定した結果を用いて前記ユーザが快感情であるか否かを判定し、前記ユーザが快感情であると判定すると、前記第１の制御信号を前記第２の通信インタフェースを用いて前記ウェアラブルデバイスへ送信し、前記第１の制御信号の送信後、識別情報を生成してメモリに記録する。
【０００８】
また、本発明の他の一態様に係る機器制御システムは、ウェアラブルデバイスおよび情報処理装置を含む機器制御システムであって、前記ウェアラブルデバイスは、第１の通信インタフェースと、第１のコンピュータと、を備え、前記第１のコンピュータは、前記ウェアラブルデバイスを装着しているユーザが快感情であるときに嗅いだと推定される匂いの匂い成分を示す匂い情報をメモリに記憶し、前記匂い情報を前記第１の通信インタフェースを用いて送信し、前記情報処理装置は、第２の通信インタフェースと、第２のコンピュータとを備え、前記第２のコンピュータは、前記匂い情報を前記第２の通信インタフェースを用いて受信し、香料を保持する環境制御装置に、受信した前記匂い情報が示す前記匂い成分を含む前記香料を所定のタイミングで吹き出させる制御信号を前記第２の通信インタフェースを用いて前記環境制御装置へ送信する。
【０００９】
また、本発明の一態様に係るウェアラブルデバイスは、所定の匂い成分を含む香料を格納する格納部と、前記格納部に格納されている前記香料を吹き出すデバイスと、ユーザの生体データを検出する生体センサと、通信インタフェースと、コンピュータと、を備え、前記コンピュータは、前記生体センサにより検出された前記生体データを前記通信インタフェースを用いて送信し、前記香料を前記ウェアラブルデバイスに吹き出させる制御信号を前記通信インタフェースを用いて受信し、前記制御信号を受信すると、前記香料を前記デバイスに吹き出させる。
【００１０】
また、本発明の一態様に係る情報処理装置は、ウェアラブルデバイスおよび環境制御装置に通信接続されている情報処理装置であって、通信インタフェースと、コンピュータと、を備え、前記コンピュータは、前記ウェアラブルデバイスを装着しているユーザの生体データであって、当該ウェアラブルデバイスで検出された生体データを、前記通信インタフェースを用いて受信し、受信した前記生体データを演算処理して前記ユーザの感情を推定し、推定した結果を用いて前記ユーザが快感情であるか否かを判定し、（ｉ）前記ユーザが快感情であると判定すると、香料を保持する前記ウェアラブルデバイスに、前記香料を吹き出させる第１の制御信号を、前記通信インタフェースを用いて前記ウェアラブルデバイスへ送信し、（ｉｉ）前記香料を保持する前記環境制御装置に、前記第１の制御信号の送信後の所定のタイミングで前記香料を吹き出させる第２の制御信号を、前記通信インタフェースを用いて前記環境制御装置へ送信する。
【００１１】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１２】
上記態様によれば、更なる改善を実現することができる。
【図面の簡単な説明】
【００１３】
【図１】実施の形態に係る機器制御システムの概略図である。
【図２】実施の形態に係るウェアラブルデバイスのハードウェア構成の一例を示す図である。
【図３】実施の形態に係る通信端末のハードウェア構成の一例を示す図である。
【図４】実施の形態に係るサーバのハードウェア構成の一例を示す図である。
【図５】実施の形態に係るアロマ機器のハードウェア構成の一例を示す図である。
【図６】機器制御システムの機能構成の一例を示すブロック図である。
【図７】サーバの機能構成の一例を示すブロック図である。
【図８】実施の形態に係る機器制御システムにおける機器制御方法について説明するためのシーケンス図である。
【図９】ウェアラブルデバイスの香料吹き出し方法を示すフローチャートである。
【図１０】サーバによるウェアラブルデバイスの制御方法を示すフローチャートである。
【図１１】サーバによる第１の制御信号の生成方法を示すフローチャートである。
【図１２】サーバによるアロマ機器の制御方法の一例を示すフローチャートである。
【図１３】サーバによるアロマ機器の制御方法の他の一例を示すフローチャートである。
【図１４】実施の形態に係る機器制御システムの利用態様の一例を表す図である。
【図１５】変形例１に係る機器制御システムの機能構成の一例を示すブロック図である。
【図１６】変形例２に係る機器制御システムの機能構成の一例を示すブロック図である。
【発明を実施するための形態】
【００１４】
（本発明の基礎となった知見）
本発明者は、「背景技術」の欄において記載した、選択方法に関し、以下の問題が生じることを見出した。
【００１５】
人間は、快感情になった体験を、例えば３つ思い出すと、幸福感が向上し、ストレスが軽減されることが知られている。しかしながら、快感情になった体験を思い出そうとしても、快感情の度合いが所定の度合いより強くなければ、快感情になった体験を思い出すことは容易ではない。また、ユーザは、快感情になったか否かの判断を、自分の主観で行うため、客観的に快感情になった体験を思い出すことが難しい。
【００１６】
そこで、ユーザが快感情になった体験を容易にユーザに思い出させるために、以下の改善策を検討した。
【００１７】
本発明の一態様に係る機器制御システムは、ウェアラブルデバイスおよび情報処理装置を含む機器制御システムであって、前記ウェアラブルデバイスは、所定の匂い成分を含む香料を格納する格納部と、前記格納部に格納されている前記香料を吹き出すデバイスと、ユーザの生体データを検出する生体センサと、第１の通信インタフェースと、第１のコンピュータと、を備え、前記第１のコンピュータは、前記生体センサにより検出された前記生体データを前記第１の通信インタフェースを用いて送信し、前記香料を前記ウェアラブルデバイスに吹き出させる第１の制御信号を前記第１の通信インタフェースを用いて受信し、前記第１の制御信号を受信すると、前記香料を前記デバイスに吹き出させ、前記情報処理装置は、第２の通信インタフェースと、第２のコンピュータとを備え、前記第２のコンピュータは、前記ウェアラブルデバイスで検出された前記生体データを前記第２の通信インタフェースを用いて受信し、受信した前記生体データを演算処理して前記ユーザの感情を推定し、推定した結果を用いて前記ユーザが快感情であるか否かを判定し、（ｉ）前記ユーザが快感情であると判定すると、前記第１の制御信号を前記第２の通信インタフェースを用いて前記ウェアラブルデバイスへ送信し、（ｉｉ）前記香料を保持する環境制御装置に、前記第１の制御信号の送信後の所定のタイミングで前記香料を吹き出させる第２の制御信号を前記第２の通信インタフェースを用いて前記環境制御装置へ送信する。
【００１８】
これによれば、生体センサが検出したユーザの生体データからユーザが快感情になったか否かを判定し、ユーザが快感情になったと判定したタイミングでウェアラブルデバイスに香料を吹き出させる。このため、ユーザが客観的に快感情になったタイミングでウェアラブルデバイスに香料を吹き出させることが容易にできる。これにより、ユーザが客観的に快感情になった体験を香料に含まれる匂いと関連づけてユーザに記憶させることができる。
【００１９】
また、所定のタイミングで、当該香料をユーザに対して環境制御装置に吹き出させることで、快感情になった体験を容易にユーザに思い出させることができる。これにより、ユーザの幸福感を向上させ、ユーザのストレスを軽減することができる。
【００２０】
また、前記第２のコンピュータは、さらに、前記ユーザの現在位置を示す位置情報を前記第２の通信インタフェースを用いて受信し、前記所定のタイミングとしての、前記位置情報が示す前記現在位置が予め定められた所定の位置の範囲に含むと判定したタイミングで、前記第２の制御信号を前記環境制御装置へ送信してもよい。
【００２１】
このため、例えば、ユーザが自宅にいる時など、ユーザがリラックスできる場所にいるタイミングで、快感情になった体験を容易にユーザに思い出させることができる。このため、効果的に、ユーザの幸福感を向上させ、ユーザのストレスを軽減することができる。
【００２２】
また、前記第２のコンピュータは、さらに、現在時刻を計時しており、前記所定のタイミングとしての、計時している現在時刻が予め定められた時刻になったタイミングで、前記第２の制御信号を前記環境制御装置へ送信してもよい。
【００２３】
このため、例えば、ユーザがリラックスしている時などのタイミングで、快感情になった体験を容易にユーザに思い出させることができる。このため、効果的に、ユーザの幸福感を向上させ、ユーザのストレスを軽減することができる。
【００２４】
また、前記第２のコンピュータは、さらに、前記ユーザの現在位置を示す位置情報、および、前記ユーザのスケジュールを示すスケジュール情報を前記第２の通信インタフェースを用いて受信し、さらに、現在時刻、前記位置情報および前記スケジュール情報に基づいて、前記ユーザの周囲の状況を推定し、推定した前記ユーザの前記周囲の状況に応じて、前記ウェアラブルデバイスに吹き出させる香料の種類および当該香料の量の少なくとも一方を決定し、決定した前記種類および前記量の少なくとも一方の香料を、前記ウェアラブルデバイスに吹き出させる制御信号を、前記第１の制御信号として前記ウェアラブルデバイスへ送信し、前記第１のコンピュータは、受信した前記第１の制御信号に応じて、前記種類または前記量の香料を前記デバイスに吹き出させてもよい。
【００２５】
このため、状況に応じた種類および量の少なくとも一方の香料をウェアラブルデバイスから吹き出させることができる。
【００２６】
また、前記第２のコンピュータは、前記ユーザの前記周囲の状況が、前記ユーザから所定の距離以内の範囲に他の人がいる状況であるか否かを推定し、前記ユーザから前記所定の距離以内の範囲に他の人がいる状況であると推定した場合、前記ユーザから前記所定の距離以内の範囲に他の人がいない状況であると推定した場合と比較して、前記量を少ない量に決定してもよい。
【００２７】
このため、ユーザから所定の距離以内の範囲に他の人がいる状況では、ウェアラブルデバイスから吹き出させる香料の量を少なくすることができる。よって、他の人に及ぼす香料の影響を低減できる。
【００２８】
また、前記第２のコンピュータは、前記ユーザの前記周囲の状況が、前記ユーザが食事中である状況であるか否かを推定し、前記ユーザが食事中である状況であると推定した場合、前記種類として森林の匂いに決定し、前記ユーザが食事中でない状況であると推定した場合、前記種類として任意の種類の匂いに決定してもよい。
【００２９】
このため、ユーザが食事中である状況では、食事への影響が少ない森林の匂いの種類の香料をウェアラブルデバイスから吹き出させることができる。よって、食事に及ぼす香料の影響を低減できる。
【００３０】
また、前記格納部は、前記香料として、第１の匂い成分を含む第１の香料を格納する第１の格納部と、前記第１の匂い成分とは異なる第２の匂い成分を含む第２の香料を格納する第２の格納部とを有し、前記デバイスは、前記第１の格納部に格納されている前記第１の香料と、前記第２の格納部に格納されている前記第２の香料との少なくとも一方を用いることにより、前回吹き出した匂いとは別の匂いを吹き出してもよい。
【００３１】
このため、ユーザが快感情となった体験が複数だった場合、複数の体験毎に匂いを変更することができる。よって、ユーザに複数の体験を思い出させることが容易にできる。このため、効果的に、ユーザの幸福感を向上させ、ユーザのストレスを軽減することができる。
【００３２】
また、本発明の他の一態様に係る機器制御システムは、ウェアラブルデバイスおよび情報処理装置を含む機器制御システムであって、前記ウェアラブルデバイスは、所定の匂い成分を含む香料を格納する格納部と、前記格納部に格納されている前記香料を吹き出すデバイスと、ユーザの生体データを検出する生体センサと、第１の通信インタフェースと、第１のコンピュータと、を備え、前記第１のコンピュータは、前記生体センサにより検出された前記生体データを前記第１の通信インタフェースを用いて送信し、前記香料を前記ウェアラブルデバイスに吹き出させる第１の制御信号を前記第１の通信インタフェースを用いて受信し、前記第１の制御信号を受信すると、前記香料を前記デバイスに吹き出させ、前記情報処理装置は、第２の通信インタフェースと、第２のコンピュータとを備え、前記第２のコンピュータは、前記ウェアラブルデバイスで検出された前記生体データを前記第２の通信インタフェースを用いて受信し、受信した前記生体データを演算処理して前記ユーザの感情を推定し、推定した結果を用いて前記ユーザが快感情であるか否かを判定し、前記ユーザが快感情であると判定すると、前記第１の制御信号を前記第２の通信インタフェースを用いて前記ウェアラブルデバイスへ送信し、前記第１の制御信号の送信後、識別情報を生成してメモリに記録する。
【００３３】
これによれば、生体センサが検出したユーザの生体データからユーザが快感情になったか否かを判定し、ユーザが快感情になったと判定したタイミングで香料を吹き出させる。このため、ユーザが客観的に快感情になったタイミングで香料を吹き出すことが容易にできる。これにより、ユーザが客観的に快感情になった体験を香料に含まれる匂いと関連づけてユーザに記憶させることができる。
【００３４】
また、本発明の他の一態様に係る機器制御システムは、ウェアラブルデバイスおよび情報処理装置を含む機器制御システムであって、前記ウェアラブルデバイスは、第１の通信インタフェースと、第１のコンピュータと、を備え、前記第１のコンピュータは、前記ウェアラブルデバイスを装着しているユーザが快感情であるときに嗅いだと推定される匂いの匂い成分を示す匂い情報をメモリに記憶し、前記匂い情報を前記第１の通信インタフェースを用いて送信し、前記情報処理装置は、第２の通信インタフェースと、第２のコンピュータとを備え、前記第２のコンピュータは、前記匂い情報を前記第２の通信インタフェースを用いて受信し、香料を保持する環境制御装置に、受信した前記匂い情報が示す前記匂い成分を含む前記香料を所定のタイミングで吹き出させる制御信号を前記第２の通信インタフェースを用いて前記環境制御装置へ送信する。
【００３５】
このため、所定のタイミングで、当該香料をユーザに対して環境制御装置に吹き出させることで、快感情になった体験を容易にユーザに思い出させることができる。これにより、ユーザの幸福感を向上させ、ユーザのストレスを軽減することができる。
【００３６】
また、本発明の一態様に係るウェアラブルデバイスは、所定の匂い成分を含む香料を格納する格納部と、前記格納部に格納されている前記香料を吹き出すデバイスと、ユーザの生体データを検出する生体センサと、通信インタフェースと、コンピュータと、を備え、前記コンピュータは、前記生体センサにより検出された前記生体データを、前記通信インタフェースを用いて送信し、前記香料を前記ウェアラブルデバイスに吹き出させる制御信号を、前記通信インタフェースを用いて受信し、前記制御信号を受信すると、前記香料を前記デバイスに吹き出させる。
【００３７】
これによれば、生体センサが検出したユーザの生体データを送信することで、ユーザが快感情になったと判定されたタイミングで送信された第１の制御信号を受信するため、ユーザが快感情になったタイミングで香料を吹き出すことができる。これにより、ユーザが客観的に快感情になった体験を香料に含まれる匂いと関連づけてユーザに記憶させることができる。
【００３８】
また、本発明の一態様に係る情報処理装置は、ウェアラブルデバイスおよび環境制御装置に通信接続されている情報処理装置であって、通信インタフェースと、コンピュータと、を備え、前記コンピュータは、前記ウェアラブルデバイスを装着しているユーザの生体データであって、当該ウェアラブルデバイスで検出された生体データを、前記通信インタフェースを用いて受信し、受信した前記生体データを演算処理して前記ユーザの感情を推定し、推定した結果を用いて前記ユーザが快感情であるか否かを判定し、（ｉ）前記ユーザが快感情であると判定すると、香料を保持する前記ウェアラブルデバイスに、前記香料を吹き出させる第１の制御信号を、前記通信インタフェースを用いて前記ウェアラブルデバイスへ送信し、（ｉｉ）前記香料を保持する前記環境制御装置に、前記第１の制御信号の送信後の所定のタイミングで前記香料を吹き出させる第２の制御信号を、前記通信インタフェースを用いて前記環境制御装置へ送信する。
【００３９】
これによれば、生体センサにより検出されたユーザの生体データからユーザが快感情になったか否かを判定し、ユーザが快感情になったと判定したタイミングで香料をユーザが装着しているウェアラブルデバイスに吹き出させることができる。このため、ユーザが客観的に快感情になったタイミングで香料を吹き出すことが容易にできる。これにより、ユーザが客観的に快感情になった体験を香料に含まれる匂いと関連づけてユーザに記憶させることができる。
【００４０】
また、所定のタイミングで、当該香料をユーザに対して環境制御装置に吹き出させることで、快感情になった体験を容易にユーザに思い出させることができる。これにより、ユーザの幸福感を向上させ、ユーザのストレスを軽減することができる。
【００４１】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００４２】
以下、本発明の一態様に係る機器制御システム、ウェアラブルデバイス、情報処理装置、香料吹き出し方法および機器制御方法について、図面を参照しながら具体的に説明する。
【００４３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４４】
（実施の形態）
以下、図１〜図１３を用いて、実施の形態を説明する。
【００４５】
［１−１．構成］
図１は、実施の形態に係る機器制御システムの概略図である。
【００４６】
具体的には、図１において、ウェアラブルデバイス１００、通信端末２００、通信ネットワーク３００、移動通信システムの基地局３１０、サーバ４００、アロマ機器５００およびルータ６００が示されている。例えば、機器制御システム１は、これらの構成要素のうち、ウェアラブルデバイス１００、サーバ４００、および、環境制御装置に対応するアロマ機器５００を備える。
【００４７】
機器制御システム１は、ウェアラブルデバイス１００およびアロマ機器５００の動作を制御するためのシステムである。
【００４８】
ウェアラブルデバイス１００は、ユーザＵに身につけられるデバイスである。また、通信端末２００は、ユーザＵに所持（携帯）されているデバイスである。
【００４９】
［１−１−１．ウェアラブルデバイス］
ウェアラブルデバイス１００のハードウェア構成について図２を用いて説明する。
【００５０】
図２は、実施の形態に係るウェアラブルデバイスのハードウェア構成の一例を示す図である。
【００５１】
図２に示すように、ウェアラブルデバイス１００は、生体センサ１０１、コンピュータ１０２、格納部１０３、デバイス１０４、通信ＩＦ（Ｉｎｔｅｒｆａｃｅ）１０５およびバッテリ１０６を備える。ウェアラブルデバイス１００は、例えば、胸ポケットに装着されるクリップ型の端末である。ウェアラブルデバイス１００は、腕時計型の端末であってもよいし、ネックストラップ型の端末であってもよいし、メガネ型の端末であってもよいし、頭装着型の端末であってもよいし、耳装着型の端末であってもよい。なお、図２において、細い実線は制御線を示し、破線は電力線を示す。
【００５２】
なお、ウェアラブルデバイス１００は、バッテリ１０６を備えていなくてもよく、バッテリを収納し、バッテリと電気的に接続するための接続端子を有する収納部を有する構成としてもよい。この場合、ウェアラブルデバイス１００を動作させるためには、収納部に対応するバッテリを収納する必要がある。
【００５３】
生体センサ１０１は、ユーザの生体の機能に関する生体データを検出する。生体データは、例えば、心拍数、心拍数変動、心拍数変動のＬＦ／ＨＦ（Ｌｏｗ  Ｆｒｅｑｕｅｎｃｙ／Ｈｉｇｈ  Ｆｒｅｑｕｅｎｃｙ）、Ｒ−Ｒ間隔、脈波、脈拍変動、脳波、呼吸数、呼吸量、血流、血流変動、血圧、血圧変動、酸素飽和度（ＳＯ２）、身体の部分の動き、身体の筋肉の動き、顔の色、顔の筋肉の動き、体温、皮膚温、皮膚コンダクタンス、皮膚抵抗、皮膚のザラツキ、皮膚のテカリ、皮膚ガス、発汗量および発汗レートの少なくとも１つを含む。ここで、身体の部分の動きとして、例えば瞬きの頻度、速度などが挙げられる。
【００５４】
生体センサ１０１は、例えば、心電センサ（ＥＫＧ又はＥＣＧ）、光電式容積脈波記録法（フォトプレチスモグラフィ）センシング、脳波測定器具（ＥＥＧ）、肺活量計、呼吸活性測定器、カメラ（可視光カメラ又は特定の電磁波フィルタを有するカメラ）、ＴＯＦ（Ｔｉｍｅ−ｏｆ−Ｆｌｉｇｈｔ）センサ、ミリ波センサ、ミリ波レーダ、パルスオキシメトリ、サーモグラフィ、サーマルイメージング、赤外イメージング、顔の筋肉の動きの検知器、皮膚温コンダクタンスセンサ、皮膚抵抗センサ、皮膚ガスセンサ、発汗量センサ、近赤外分光器およびコンピュータ断層撮影器（ＣＴ）の少なくとも１つを含む。
【００５５】
コンピュータ１０２は、制御プログラムを実行するプロセッサおよび当該制御プログラムを記憶している不揮発性のメモリを有する。
【００５６】
格納部１０３は、所定の匂い成分を含む香料を格納する。格納部１０３は、香料として、第１の香料を格納する第１の格納部１０３ａと、第２の香料を格納する第２の格納部１０３ｂと、第３の香料を格納する第３の格納部１０３ｃとを有する。第１の香料は、第１の匂い成分を含む。第２の香料は、第１の匂い成分とは異なる第２の匂い成分を含む。また、第２の匂い成分は、第１の香料に含まれていない匂い成分であってもよい。第３の香料は、第１の匂い成分および第２の匂い成分とは異なる第３の匂い成分を含む。また、第３の匂い成分は、第１の香料および第２の香料に含まれていない匂い成分であってもよい。
【００５７】
第１の格納部１０３ａ、第２の格納部１０３ｂおよび第３の格納部１０３ｃのそれぞれは、具体的には、液体の各香料を貯めておくことが可能な密閉された容器である。第１の格納部１０３ａ、第２の格納部１０３ｂおよび第３の格納部１０３ｃは、例えば、樹脂、金属などにより構成されている。
【００５８】
デバイス１０４は、格納部１０３に格納されている香料を吹き出す装置である。デバイス１０４は、流路１１０ａ〜１１０ｃと、バルブ１１１ａ〜１１１ｃと、振動素子１１２と、空間１１３と、ノズル１１４とを有する。
【００５９】
流路１１０ａ〜１１０ｃは、それぞれ、第１の格納部１０３ａ、第２の格納部１０３ｂおよび第３の格納部１０３ｃに接続され、第１の香料、第２の香料および第３の香料が流れる。流路１１０ａ〜１１０ｃは、管状の部材により構成されていてもよいし、孔により構成されていてもよい。
【００６０】
バルブ１１１ａ〜１１１ｃは、それぞれ、流路１１０ａ〜１１０ｃに設けられ、対応する流路１１０ａ〜１１０ｃを開閉可能なバルブである。
【００６１】
振動素子１１２は、振動することで、空間１１３に流れ込んできた香料をノズル１１４から噴霧させる素子である。振動素子１１２は、例えば、超音波を発生させる圧電素子である。
【００６２】
空間１１３は、各流路１１０ａ〜１１０ｃの下流側に設けられ、流入した各香料を振動素子１１２の振動により噴霧するために貯めておくための空間である。空間１１３は、複数種類の香料が流入してきた場合には、当該複数種類の香料を混合するための空間である。
【００６３】
ノズル１１４は、振動素子１１２によって霧化された香料を外部の空間に吹き出すためのノズルである。
【００６４】
通信ＩＦ１０５は、通信端末２００と通信する通信インタフェースである。通信ＩＦ１０５は、例えば、Ｂｌｕｅｔｏｏｔｈ（登録商標）規格に適合した無線通信インタフェースであってもよいし、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであってもよい。
【００６５】
バッテリ１０６は、電気エネルギーを生体センサ１０１、コンピュータ１０２、デバイス１０４および通信ＩＦ１０５に供給する。バッテリ１０６は、例えば、二次電池により構成される。
【００６６】
なお、格納部１０３は３つの格納部１０３ａ〜１０３ｃを有しているが、これに限らずに、１つの格納部のみであってもよいし、２つの格納部であってもよいし、４つ以上の格納部であってもよい。この場合、対応するバルブ、流路も同様である。
【００６７】
また、振動素子１１２は、３つの格納部１０３ａ〜１０３ｃに共通であり、１つの素子であるが、３つの格納部１０３ａ〜１０３ｃのそれぞれに設けられていてもよい。同様に、空間１１３は、３つの格納部１０３ａ〜１０３ｃのそれぞれに設けられてもよい。同様に、ノズル１１４は、３つの格納部１０３ａ〜１０３ｃのそれぞれに設けられてもよい。
【００６８】
［１−１−２．通信端末］
次に、通信端末２００のハードウェア構成について図３を用いて説明する。
【００６９】
図３は、実施の形態に係る通信端末のハードウェア構成の一例を示す図である。
【００７０】
図３に示すように、通信端末２００は、コンピュータ２０１、第１の通信ＩＦ２０２、第２の通信ＩＦ２０３、ＧＰＳモジュール２０４、ディスプレイ２０５、タッチパネル２０６およびバッテリ２０７を備える。通信端末２００は、ウェアラブルデバイス１００のユーザが所持している通信端末である。通信端末２００は、例えば、スマートフォン、タブレット端末、モバイルルータなどの携帯端末である。
【００７１】
コンピュータ２０１は、通信端末２００を動作させるための制御プログラムを実行するプロセッサおよび当該制御プログラムを記憶している不揮発性のメモリを有する。
【００７２】
第１の通信ＩＦ２０２は、ウェアラブルデバイス１００と通信する通信インタフェースである。第１の通信ＩＦ２０２は、ウェアラブルデバイス１００の通信ＩＦ１０５に対応した通信インタフェースであればよい。つまり、第１の通信ＩＦ２０２は、例えば、Ｂｌｕｅｔｏｏｔｈ（登録商標）規格に適合した無線通信インタフェースであってもよいし、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであってもよい。
【００７３】
第２の通信ＩＦ２０３は、通信ネットワーク３００を介してサーバ４００と通信する通信インタフェースである。つまり、第２の通信ＩＦ２０３は、通信ネットワーク３００に通信接続できる通信インタフェースであればよい。具体的には、第２の通信ＩＦ２０３は、ルータ６００との通信接続、または、移動通信システムの基地局３１０との通信接続により、通信ネットワーク３００と通信接続する通信インタフェースである。第２の通信ＩＦ２０３は、例えば、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであってもよいし、第３世代移動通信システム（３Ｇ）、第４世代移動通信システム（４Ｇ）、または、ＬＴＥ（登録商標）などのような移動通信システムで利用される通信規格に適合した無線通信インタフェースであってもよい。
【００７４】
なお、第１の通信ＩＦ２０２と第２の通信ＩＦ２０３とは、互いの無線通信の混信を防ぐために、異なる通信インタフェースで構成されていてもよい。
【００７５】
ＧＰＳモジュール２０４は、ＧＰＳ（Ｇｌｏｂａｌ Ｐｏｓｉｔｉｏｎｉｎｇ Ｓｙｓｔｅｍ）衛星からの信号を受信することにより位置を推定するモジュールである。
【００７６】
ディスプレイ２０５は、コンピュータ２０１での処理結果を表示する表示装置である。ディスプレイ２０５は、例えば、液晶ディスプレイ、有機ＥＬディスプレイである。
【００７７】
タッチパネル２０６は、ディスプレイ２０５の表面に配置され、ディスプレイ２０５に表示されるＵＩ（Ｕｓｅｒ  Ｉｎｔｅｒｆａｃｅ）へのユーザからの入力を受け付ける入力装置である。
【００７８】
バッテリ２０７は、電気エネルギーをコンピュータ２０１、第１の通信ＩＦ２０２、第２の通信ＩＦ２０３、ＧＰＳモジュール２０４、ディスプレイ２０５およびタッチパネル２０６に供給する。バッテリ２０７は、例えば、二次電池により構成される。
【００７９】
［１−１−３．サーバ］
次に、サーバ４００のハードウェア構成について図４を用いて説明する。
【００８０】
図４は、実施の形態に係るサーバのハードウェア構成の一例を示す図である。
【００８１】
図４に示すように、サーバ４００は、コンピュータ４０１、通信ＩＦ４０２および電源４０３を備える。サーバ４００は、ウェアラブルデバイス１００およびアロマ機器５００の動作を制御するための情報処理装置である。サーバ４００は、複数の装置で構成されていてもよい。
【００８２】
コンピュータ４０１は、サーバ４００を動作させるための制御プログラムを実行するプロセッサおよび当該制御プログラムを記憶している不揮発性のメモリを有する。なお、制御プログラムは、後述する感情推定に係る演算を行うプログラムを含む。
【００８３】
通信ＩＦ４０２は、通信ネットワーク３００を介して通信端末２００およびアロマ機器５００と通信する通信インタフェースである。通信ＩＦ４０２は、例えば、有線ＬＡＮインタフェースである。なお、通信ＩＦ４０２は、無線ＬＡＮインタフェースであってもよい。また、通信ＩＦ４０２は、ＬＡＮインタフェースに限らずに、通信ネットワーク３００との通信接続を確立できる通信インタフェースであれば、どのような通信インタフェースであってもよい。
【００８４】
電源４０３は、電力系統などの外部電源から供給される電力を用いて、コンピュータ４０１および通信ＩＦ４０２に電力を供給する。電源４０３は、例えば、ＡＣ／ＤＣコンバータ、ＤＣ／ＡＣインバータ、および、ＤＣ／ＤＣコンバータなどである。
【００８５】
［１−１−４．アロマ機器］
次に、アロマ機器５００のハードウェア構成について図５を用いて説明する。
【００８６】
図５は、実施の形態に係るアロマ機器のハードウェア構成の一例を示す図である。
【００８７】
図５に示すように、アロマ機器５００は、コンピュータ５０１、通信ＩＦ５０２、格納部５０３、デバイス５０４、操作ＩＦ５０５および電源５０６を備える。アロマ機器５００は、所定の匂い成分を含む香料を保持し、保持する香料を吹き出す環境制御装置である。アロマ機器５００は、例えば、空気清浄機、空気調和装置、アロマディフューザ、加湿器などの据え置き型の機器である。また、アロマ機器５００は、照明装置、電球、テレビなどのＡＶ機器、扇風機などの他の家電機器に組み込まれていてもよいし、ベッド、テーブル、ソファ、椅子、ティッシュケース、掛け時計、置き時計、ティッシュケースなどの家具やインテリア用品に組み込まれていてもよい。また、アロマ機器５００は、枕、布団などの寝具や、ぬいぐるみなどのおもちゃに組み込まれていてもよい。また、アロマ機器５００は、上述したような家電機器、家具、インテリア用品、寝具、おもちゃなどの家の中に配置されているものに後付けできる機器として実現されてもよい。
【００８８】
コンピュータ５０１は、アロマ機器５００を動作させるための制御プログラムを実行するプロセッサおよび当該制御プログラムを記憶している不揮発性のメモリを有する。
【００８９】
通信ＩＦ５０２は、通信ネットワーク３００を介してサーバ４００と通信する通信インタフェースである。つまり、通信ＩＦ５０２は、通信ネットワーク３００に通信接続できる通信インタフェースであればよく、第２の通信ＩＦ２０３と同様の構成であればよい。
【００９０】
格納部５０３は、所定の匂い成分を含む香料を格納する。具体的には、香料を格納できる空間や形状などが異なる場合があるが、機能的には格納部１０３と同様であるため詳細な説明を省略する。
【００９１】
デバイス５０４は、格納部１０３に格納されている香料を吹き出す。具体的には、装置のサイズが異なる場合があるが、機能的にはデバイス１０４と同様であるため詳細な説明を省略する。
【００９２】
操作ＩＦ５０５は、アロマ機器５００に各種の動作を行わせるための入力を行うことが可能な操作インタフェースである。操作ＩＦ５０５は、具体的には、入力を受け付けるボタンスイッチなどのスイッチであってもよいし、タッチパネルであってもよい。なお、操作ＩＦ５０５は、アロマ機器５００に備えられていなくてもよい。
【００９３】
電源５０６は、電力系統などの外部電源から供給される電力を用いて、コンピュータ５０１、通信ＩＦ５０２、デバイス５０４および操作ＩＦ５０５に電力を供給する。電源５０６は、例えば、ＡＣ／ＤＣコンバータ、ＤＣ／ＡＣインバータ、および、ＤＣ／ＤＣコンバータなどである。
【００９４】
［１−１−５．通信ネットワーク］
次に、図１を参照して通信ネットワークの構成について説明する。
【００９５】
通信ネットワーク３００は、ウェアラブルデバイス１００、通信端末２００、サーバ４００、アロマ機器５００およびルータ６００が互いに通信するための通信ネットワークである。通信ネットワーク３００は、インターネットのような汎用のネットワークであってもよいし、機器制御システム１の専用のネットワークであってもよい。
【００９６】
［１−１−６．ルータ］
ルータ６００は、通信端末２００およびアロマ機器５００と通信可能である。ルータ６００は、インターネットなどの通信ネットワーク３００を介してサーバ４００と通信可能である。そして、ルータ６００は、アロマ機器５００と通信し、かつ、通信ネットワーク３００を介してサーバ４００と通信することにより、アロマ機器５００とサーバ４００との間の通信を中継する。ルータ６００は、例えば、アロマ機器５００と無線通信を行い、サーバ４００と有線通信を行う。
【００９７】
また、ルータ６００は、通信端末２００と通信が可能である。ルータ６００は、例えば、通信端末２００と無線通信を行う。
【００９８】
［１−２．機器制御システムの機能構成］
次に、機器制御システム１の機能構成について図６を用いて説明する。
【００９９】
図６は、機器制御システムの機能構成の一例を示すブロック図である。
【０１００】
まず、ウェアラブルデバイス１００の機能構成について説明する。
【０１０１】
ウェアラブルデバイス１００は、機能構成として、検出部１２１と、通信部１２２と、制御部１２５と、吹き出し部１２６とを備える。
【０１０２】
検出部１２１は、ユーザの生体データを検出する。検出部１２１は、例えば、生体センサ１０１により実現される。検出部１２１は、例えば、ユーザの生体データを所定の時間間隔で検出する。
【０１０３】
通信部１２２は、送信部１２３および受信部１２４を有する。
【０１０４】
送信部１２３は、検出部１２１により検出された生体データをサーバ４００へ送信する。送信部１２３は、検出部１２１により生体データが検出される度にサーバ４００へ生体データを送信してもよい。
【０１０５】
送信部１２３は、例えば、コンピュータ１０２および通信ＩＦ１０５により実現される。つまり、送信部１２３は、生体データを、通信端末２００を通じて通信ネットワーク３００に接続されているサーバ４００へ通信ＩＦ１０５を用いて送信する、コンピュータ１０２の機能構成である。
【０１０６】
受信部１２４は、香料をウェアラブルデバイスに吹き出させる第１の制御信号をサーバ４００から受信する。受信部１２４は、例えば、コンピュータ１０２および通信ＩＦ１０５により実現される。つまり、受信部１２４は、第１の制御信号を、通信端末２００を通じて通信ネットワーク３００に接続されているサーバ４００から通信ＩＦ１０５を用いて受信する、コンピュータ１０２の機能構成である。
【０１０７】
制御部１２５は、受信部１２４が第１の制御信号を受信すると、香料を吹き出し部１２６に吹き出させる。なお、第１の制御信号には、香料の種類や香料の量などを示す香料情報が付与されていてもよく、制御部１２５は、第１の制御信号に含まれる香料情報により定まる種類および量の香料をデバイス１０４に吹き出させる。制御部１２５は、例えば、コンピュータ１０２により実現される。
【０１０８】
吹き出し部１２６は、制御部１２５の指令を受けて香料を吹き出す。吹き出し部１２６は、例えば、格納部１０３およびデバイス１０４により実現される。
【０１０９】
次に、通信端末２００の機能構成について説明する。
【０１１０】
通信端末２００は、機能構成として、第１の通信部２１１と、第２の通信部２１２とを備える。通信端末２００は、さらに、位置検出部２１３と、入力ＩＦ２１４とを備えていてもよい。通信端末２００は、本実施の形態では、通信ネットワーク３００を介したウェアラブルデバイス１００のサーバ４００への通信接続の確立を仲介する。具体的には、通信端末２００は、ウェアラブルデバイス１００から生体データを受信し、受信した生体データを、通信ネットワーク３００を介してサーバ４００へ送信する。通信端末２００は、サーバ４００から通信ネットワーク３００を介して第１の制御信号を受信し、受信した第１の制御信号をウェアラブルデバイス１００に送信する。
【０１１１】
第１の通信部２１１は、ウェアラブルデバイス１００の通信部１２２との間で通信接続を確立し、ウェアラブルデバイス１００と通信を行う。また、第１の通信部２１１は、第２の通信部２１２との間で通信を行う。第１の通信部２１１は、ウェアラブルデバイス１００から情報（例えば生体データ）を受信し、受信した情報を第２の通信部２１２に送信する。また、第１の通信部２１１は、第２の通信部２１２から情報（例えば第１の制御信号）を受信し、受信した情報をウェアラブルデバイス１００に送信する。第１の通信部２１１は、例えば、コンピュータ２０１および第１の通信ＩＦ２０２などにより実現される。
【０１１２】
第２の通信部２１２は、第１の通信部２１１との間で通信を行う。また、第２の通信部２１２は、通信ネットワーク３００を介してサーバ４００との間で通信接続を確立し、サーバ４００と通信を行う。第２の通信部２１２は、第１の通信部２１１から情報（例えば生体データ）を受信し、受信した情報をサーバ４００に送信する。また、第２の通信部２１２は、サーバ４００から情報（例えば第１の制御信号）を受信し、受信した情報を第１の通信部２１１に送信する。第２の通信部２１２は、例えば、コンピュータ２０１および第２の通信ＩＦ２０３などにより実現される。
【０１１３】
位置検出部２１３は、通信端末２００を携帯しているユーザの現在位置を位置情報として検出する。位置検出部２１３は、例えば、コンピュータ２０１およびＧＰＳモジュール２０４などにより実現される。なお、ユーザの現在位置は、ＧＰＳモジュール２０４により検出された位置に限らずに、Ｗｉ−Ｆｉ（登録商標）の電波強度、携帯電話通信網の基地局３１０の電波強度などを用いて推定した位置であってもよい。
【０１１４】
入力ＩＦ２１４は、ユーザからの入力を受け付けるためのインタフェースである。入力ＩＦ２１４は、所定のアプリケーションに対するユーザからの入力を受け付ける。入力ＩＦ２１４は、例えば、スケジュール管理アプリなどの入力を受け付けることで、ユーザのスケジュールを示すスケジュール情報を取得する。入力ＩＦ２１４は、例えば、コンピュータ２０１、ディスプレイ２０５およびタッチパネル２０６などにより実現される。
【０１１５】
なお、第２の通信部２１２は、位置検出部２１３により検出された位置情報や、入力ＩＦ２１４により入力されたスケジュール情報などの他の情報をサーバ４００に送信してもよい。
【０１１６】
次に、サーバ４００の機能構成について説明する。図７は、サーバの機能構成の一例を示すブロック図である。ここでは、図６および図７を用いて説明する。
【０１１７】
サーバ４００は、機能構成として、通信部４１１と、データ解析部４１５とを備える。サーバ４００は、機能構成として、さらに、記憶部４１４および計時部４１６を備えていてもよい。記憶部４１４は、サーバ４００の外部に通信接続されていてもよい。
【０１１８】
通信部４１１は、受信部４１２および送信部４１３を有する。
【０１１９】
受信部４１２は、生体データをウェアラブルデバイス１００から通信ネットワーク３００を介して受信する。受信部４１２は、位置情報、スケジュール情報などの他の情報をウェアラブルデバイス１００から通信ネットワーク３００を介して受信してもよい。受信部４１２は、例えば、コンピュータ４０１および通信ＩＦ４０２により実現される。つまり、受信部４１２は、生体データをウェアラブルデバイス１００から通信ＩＦ４０２を用いて受信する、コンピュータ４０１の機能構成である。
【０１２０】
送信部４１３は、通信ネットワーク３００を介して、データ解析部４１５により生成された、第１の制御信号および第２の制御信号を、それぞれ通信端末２００およびアロマ機器５００に送信する。なお、第２の制御信号は、第１の制御信号の送信後の所定のタイミングでアロマ機器５００に香料を吹き出させる制御信号である。送信部４１３は、例えば、コンピュータ４０１および通信ＩＦ４０２により実現される。つまり、送信部４１３は、第１の制御信号および第２の制御信号を、それぞれ、ウェアラブルデバイス１００およびアロマ機器５００に通信ＩＦ４０２を用いて送信する、コンピュータ４０１の機能構成である。
【０１２１】
記憶部４１４は、受信部４１２により受信された生体データを記憶する。また、記憶部４１４は、受信部４１２により受信されたユーザの位置情報およびスケジュール情報を記憶してもよい。また、記憶部４１４は、ユーザに関するユーザ情報を記憶していてもよい。つまり、記憶部４１４は、複数のユーザに関する情報を管理する場合、生体データ、位置情報、スケジュール情報などのユーザ毎に対応している情報を、ユーザＩＤなどの当該ユーザを識別するユーザ識別情報に対応づけて記憶していてもよい。また、記憶部４１４は、送信部４１３が第１の制御信号を送信した後に、送信した第１の制御信号を識別する信号識別情報を生成し、当該信号識別情報をユーザ識別情報に対応づけて記憶してもよい。記憶部４１４は、例えば、コンピュータ４０１が有するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などのストレージにより実現される。
【０１２２】
データ解析部４１５は、記憶部４１４に記憶されている生体データ、位置情報、スケジュール情報などを用いて、第１の制御信号および第２の制御信号を生成する。データ解析部４１５の詳細な構成については、後述する。
【０１２３】
計時部４１６は、現在時刻を計時する。計時部４１６は、例えば、コンピュータ４０１が有するタイマ（図示せず）により実現される。
【０１２４】
ここで、データ解析部４１５の詳細な構成について図７を用いて説明する。
【０１２５】
データ解析部４１５は、図７に示すように、第１の推定部４２１と、判定部４２２とを有する。データ解析部４１５は、さらに、第２の推定部４２３と、決定部４２４とを有していてもよい。
【０１２６】
第１の推定部４２１は、記憶部４１４に記憶されている生体データを演算処理してユーザの感情を推定する。第１の推定部４２１は、例えば、コンピュータ４０１などにより実現される。
【０１２７】
判定部４２２は、第１の推定部４２１の推定結果を用いてユーザが快感情であるか否かを判定する。なお、「快感情」とは、非特許文献１によれば、「幸せや、幸福感、ポジティブな誘意性と高い活性化（覚醒感）によって特徴づけられた情緒的な状態」であり、具体的には、「幸せ，喜び，満足，興味，愛など」である。判定部４２２は、例えば、コンピュータ４０１などにより実現される。
【０１２８】
第２の推定部４２３は、現在時刻および位置情報に基づいて、ユーザの周囲の状況を推定する。具体的には、第２の推定部４２３は、ユーザの周囲の状況が、ユーザに近い位置に他の人がいる状況であるか否かを推定する。なお、ユーザに近い位置に他の人がいる状況とは、例えば、午前７時〜９時、午後６時〜７時などの混雑している時間帯にユーザが電車やバスなどの公共の交通機関を利用している状況である。
【０１２９】
また、ユーザに近い位置に他の人がいる状況とは、公共の交通機関を利用している状況に限らずに、混雑していると推定できる時刻および位置にユーザがいる場合としてもよい。なお、この場合、第２の推定部４２３は、現在時刻および位置情報などにより、ユーザが当該時間帯に公共の交通機関を利用しているか否かや、混雑している時刻および場所にユーザがいるかを推定できる。つまり、第２の推定部４２３は、混雑していることが予測される時間帯および所定の領域の組み合わせに、現在時刻および位置情報が合致すれば、ユーザの周囲の状況がユーザに近い位置に他の人がいる状況であると判定し、そうでなければ、ユーザの周囲の状況がユーザに近い位置に他の人がいない状況であると判定する。
【０１３０】
また、第２の推定部４２３は、ユーザの周囲の状況が、ユーザが食事中である状況であるか否かを推定する。この場合、第２の推定部４２３は、現在時刻および位置情報などを用いて、例えば、ユーザが食事をしていると推定される時間帯に自宅にいる場合や、レストランにいる場合に、ユーザが食事中である状況であると推定できる。つまり、第２の推定部４２３は、ユーザが食事をしていることが予測される時間帯および所定の領域の組み合わせに、現在時刻および位置情報が合致すれば、ユーザが食事中である状況であると判定し、そうでなければ、ユーザが食事中でない状況であると判定する。
【０１３１】
なお、「混雑していることが予測される時間帯および所定の領域の組み合わせ」、および、「ユーザが食事をしていることが予測される時間帯および所定の領域の組み合わせ」は、例えば、スマートフォンなどの携帯端末のユーザから取得されるビッグデータから生成されてもよいし、ユーザやアプリ制作者などに入力されることより予め生成されてもよい。なお、第２の推定部４２３は、ユーザのスケジュール情報を用いることで、さらに精度よくユーザの周囲の状況を推定できる。第２の推定部４２３は、例えば、コンピュータ４０１などにより実現される。
【０１３２】
また、第２の推定部４２３は、ユーザの周囲の状況が、ユーザが存在する空間に複数の人が存在する状況であるか否かを推定する。
【０１３３】
なお、生体データからユーザの感情を推定し、快感情か否かを判定する方法の具体例については、例えば、特許文献２または特許文献３に開示されている公知の方法を用いることができる。
【０１３４】
特許文献２では、ユーザの心拍数および心拍変動に基づいて、ユーザの心理状態を判定している。具体的には、検出した心拍数および心拍変動を、それぞれ所定の閾値と比較することで、心拍数が所定の閾値よりも大きく、かつ、心拍変動が所定の閾値よりも大きい場合、ユーザの心理状態が「喜び」（つまり快感情）であると判定することが開示されている。
【０１３５】
特許文献３では、生体センサにより得られたユーザの生体センサ値から、快度および覚醒度を生成し、生成した快度および覚醒度の組である感情スコアからユーザの感情を推定する。例えば、快度および覚醒度は、−５から５までの値であり、覚醒度が約「０〜２」の範囲内であり、かつ、快度の値が約「２〜５」の範囲内である場合、ユーザの感情が「喜び状態」（つまり快感情）であると判定することが開示されている。
【０１３６】
決定部４２４は、第２の推定部４２３が推定したユーザの周囲の状況に応じて、ウェアラブルデバイス１００に吹き出させる香料の種類および香料の量の少なくとも一方を決定する。つまり、決定部４２４は、ユーザの周囲の状況に応じて、ウェアラブルデバイス１００から吹き出させる香料の種類および香料の量を変更する。
【０１３７】
具体的には、決定部４２４は、ユーザに近い位置に他の人がいる状況であると第２の推定部４２３が推定した場合、ユーザに近い位置に他の人がいない状況であると第２の推定部４２３が推定した場合と比較して、香料の量を少ない量に決定する。決定部４２４は、ユーザに近い位置に他の人がいる状況である場合、ユーザに近い位置に他の人がいない状況である場合の半分の量の香料に決定してもよいし、吹き出す香料の量を０に決定してもよい。なお、吹き出す香料の量が０に決定された場合、ウェアラブルデバイス１００は、香料を吹き出さない。
【０１３８】
また、決定部４２４は、ユーザが食事中である状況であると第２の推定部４２３が推定した場合、ウェアラブルデバイス１００から吹き出させる香料の種類として森林の匂いの匂い成分を含む種類に決定する。また、決定部４２４は、ユーザが食事中でない状況であると第２の推定部４２３が推定した場合、ウェアラブルデバイス１００から吹き出させる香料の種類として任意の匂いの匂い成分を含む種類に決定する。
【０１３９】
次に、送信部４１３が送信する情報や当該情報を送信する送信タイミングについて説明する。
【０１４０】
送信部４１３は、ユーザが快感情であると判定部４２２が判定した場合、第１の制御信号をウェアラブルデバイス１００へ送信する。送信部４１３は、決定部４２４が決定した香料の種類および香料の量の少なくとも一方で定まる香料を、ウェアラブルデバイス１００に吹き出させる制御信号を、第１の制御信号としてウェアラブルデバイス１００に送信する。送信部４１３は、香料の種類および香料の量の少なくとも一方を示す情報を含む第１の制御信号を、当該第１の制御信号を識別する信号識別情報と、ユーザ識別情報とを対応づけて記憶してもよい。
【０１４１】
また、送信部４１３は、第２の制御信号をアロマ機器５００へ送信する。送信部４１３は、具体的には、所定のタイミングとしての、位置情報が示す現在位置が所定の位置の範囲（例えばユーザの自宅）に含まれると判定したタイミングで、第２の制御信号をアロマ機器５００へ送信してもよい。また、送信部４１３は、所定のタイミングとしての、計時部４１６が計時している現在時刻が予め定められた時刻（例えばユーザの帰宅時刻）になったタイミングで、第２の制御信号をアロマ機器５００へ送信してもよい。
【０１４２】
なお、送信部４１３が第２の制御信号をアロマ機器５００へ送信する所定のタイミングは、所定の位置の範囲としては例えばユーザの自宅が考えられる。この場合の位置情報としては、通信端末２００で検出されたＧＰＳによる位置情報であってもよいし、通信端末２００が自宅のルータ６００と通信可能な状態になっていることを示す情報でもよい。また、予め定められた時刻としては、例えば、ユーザが自宅にいる時間帯が考えられる。このように、ユーザが自宅にいることを位置情報で推定してもよいし、時刻情報で推定してもよいし、位置情報および時刻情報で推定してもよい。
【０１４３】
また、所定のタイミングとは、自宅にいるタイミングのうち、外出先から帰宅したタイミングであってもよい。外出先から帰宅した時間帯の方が、外出する直前の時間帯よりもユーザは、よりリラックスしていると考えられるからである。つまり、ユーザが帰宅したと推定されるタイミングで、サーバ４００は、第２の制御信号をアロマ機器５００に送信してもよい。
【０１４４】
なお、ユーザがリラックスしていると推定される部屋は、予め定められた部屋であり、アロマ機器５００は、当該予め定められた部屋に設置されているものとする。
【０１４５】
次に、アロマ機器５００の機能構成について説明する。
【０１４６】
アロマ機器５００は、機能構成として、受信部５１１と、制御部５１２と、吹き出し部５１３とを備える。アロマ機器５００は、機能構成として、さらに、操作部５１４を備えていてもよい。
【０１４７】
受信部５１１は、第２の制御信号を、通信ネットワーク３００を介してサーバ４００から受信する。受信部５１１は、例えば、コンピュータ５０１および通信ＩＦ５０２などにより実現される。
【０１４８】
制御部５１２は、受信部５１１が第２の制御信号を受信したタイミングで、香料を吹き出し部５１３に吹き出させる。また、制御部５１２は、操作部５１４がユーザからの操作を受け付けたタイミングで、香料を吹き出し部５１３に吹き出させてもよい。制御部５１２は、例えば、コンピュータ５０１により実現される。
【０１４９】
吹き出し部５１３は、制御部５１２の指令を受けて香料を吹き出す。吹き出し部５１３は、例えば、格納部５０３およびデバイス５０４により実現される。
【０１５０】
操作部５１４は、ユーザからの操作を受け付け、受け付けた操作を示す操作信号を制御部５１２に送信する。操作部５１４は、例えば、コンピュータ５０１および操作ＩＦ５０５により実現される。
【０１５１】
［１−３．動作］
次に、機器制御システム１の動作について、図８〜図１３を用いて説明する。
【０１５２】
図８は、実施の形態に係る機器制御システムにおける機器制御方法について説明するためのシーケンス図である。
【０１５３】
まず、ウェアラブルデバイス１００は、生体センサ１０１を用いてウェアラブルデバイス１００を装着しているユーザの生体データを検出する（Ｓ１０１）。
【０１５４】
次に、ウェアラブルデバイス１００は、生体センサ１０１により検出された生体データを通信端末２００へ送信する（Ｓ１０２）。
【０１５５】
通信端末２００は、ウェアラブルデバイス１００から生体データを受信し（Ｓ１０３）、受信した生体データを、通信ネットワーク３００を介してサーバ４００へ送信する（Ｓ１０４）。
【０１５６】
サーバ４００では、受信部４１２が通信端末２００から生体データを受信し（Ｓ１０５）、受信した生体データを記憶部４１４が記憶する（Ｓ１０６）。
【０１５７】
サーバ４００では、第１の推定部４２１が、記憶部４１４に記憶した生体データを用いて、ユーザの感情を推定する（Ｓ１０７）。
【０１５８】
サーバ４００では、判定部４２２が、第１の推定部４２１によるユーザの感情の推定結果を用いて、ユーザの感情が快感情であるか否かを判定する（Ｓ１０８）。
【０１５９】
サーバ４００では、判定部４２２が、ユーザの感情が快感情であると判定すれば、第１の制御信号を通信端末２００へ通信ネットワーク３００を介して送信する（Ｓ１０９）。
【０１６０】
通信端末２００は、サーバ４００から第１の制御信号を受信し（Ｓ１１０）、受信した第１の制御信号をウェアラブルデバイス１００に送信する（Ｓ１１１）。
【０１６１】
ウェアラブルデバイス１００では、受信部１２４が第１の制御信号を受信し（Ｓ１１２）、受信した第１の制御信号に基づいて制御部１２５が吹き出し部１２６に香料を吹き出させる（Ｓ１１３）。
【０１６２】
その後、サーバ４００では、送信部４１３は、所定のタイミングであるか否かを判断し（Ｓ１１４）、所定のタイミングで第２の制御信号を、通信ネットワーク３００を介してアロマ機器５００へ送信する（Ｓ１１５）。サーバ４００は、本実施の形態では、所定のタイミングとして、ユーザが帰宅したと推定されるタイミングで、第２の制御信号をアロマ機器５００に送信する。
【０１６３】
アロマ機器５００では、受信部５１１が第２の制御信号を受信し（Ｓ１１６）、受信した第２の制御信号に基づいて吹き出し部５１３が香料を吹き出す（Ｓ１１７）。
【０１６４】
次に、機器制御方法のうちの、ウェアラブルデバイス１００の香料吹き出し方法について説明する。
【０１６５】
図９は、ウェアラブルデバイスの香料吹き出し方法を示すフローチャートである。
【０１６６】
ウェアラブルデバイス１００では、ユーザの生体データを生体センサ１０１で検出し（Ｓ１２１）、生体センサ１０１により検出された生体データを、送信部１２３が通信端末２００へ送信する（Ｓ１２２）。
【０１６７】
そして、ウェアラブルデバイス１００は、受信部１２４が第１の制御信号を通信端末２００から受信したか否かを判定する（Ｓ１２３）。
【０１６８】
ウェアラブルデバイス１００は、受信部１２４が第１の制御信号を通信端末２００から受信したと判定した場合（Ｓ１２３でＹｅｓ）、吹き出し部１２６が香料を吹き出す（Ｓ１２４）。ウェアラブルデバイス１００は、受信部１２４が第１の制御信号を通信端末２００から受信していないと判定した場合（Ｓ１２３でＮｏ）、所定期間経過したか否かを判定する（Ｓ１２５）。
【０１６９】
ウェアラブルデバイス１００は、生体データを送信した時点から所定期間経過していないと判定した場合（Ｓ１２５でＮｏ）、ステップＳ１２３に戻る。つまり、ウェアラブルデバイス１００は、生体データを送信した時点から所定期間経過するまでに第１の制御信号を受信したか否かを判断している。
【０１７０】
ウェアラブルデバイス１００は、生体データを送信した時点から所定期間経過したと判定した場合（Ｓ１２５でＹｅｓ）、ステップＳ１２１に戻る。つまり、ウェアラブルデバイス１００は、生体データを送信した時点から所定期間経過しても、第１の制御信号を受信していない場合、生体データに基づいてユーザが快感情ではなかったと判断し、次の生体データを検出するためにステップＳ１２１に戻る。
【０１７１】
なお、所定期間は、香料を吹き出す前に生体データを送信したタイミングからの時間の経過が少ないほど好ましいため、例えば、当該時間は長くても１分以内であればよい。
【０１７２】
次に、機器制御方法のうちの、サーバ４００によるウェアラブルデバイス１００の制御方法について説明する。
【０１７３】
図１０は、サーバによるウェアラブルデバイスの制御方法を示すフローチャートである。
【０１７４】
サーバ４００では、受信部４１２が生体データを、通信ネットワーク３００を介して受信したか否かを判定する（Ｓ１３１）。
【０１７５】
受信部４１２が生体データを受信した場合（Ｓ１３１でＹｅｓ）、記憶部４１４が、当該生体データを記憶する（Ｓ１３２）。受信部４１２は、生体データを受信していない場合（Ｓ１３１でＮｏ）、ステップＳ１３１を繰り返す。つまり、受信部４１２は、生体データを受信するまで待機する。
【０１７６】
次に、データ解析部４１５の第１の推定部４２１は、記憶部４１４に記憶されている生体データを用いて、ユーザの感情を推定する（Ｓ１３４）。
【０１７７】
そして、判定部４２２は、第１の推定部４２１によるユーザの感情の推定結果を用いて、ユーザの感情が快感情であるか否かを判定する（Ｓ１３５）。
【０１７８】
ユーザの感情が快感情であると判定部４２２が判定した場合（Ｓ１３５でＹｅｓ）、送信部４１３は、第１の制御信号を、通信ネットワーク３００を介してウェアラブルデバイス１００へ送信する（Ｓ１３６）。一方で、ユーザの感情が快感情でないと判定部４２２が判定した場合（Ｓ１３５でＮｏ）、ステップＳ１３１に戻る。
【０１７９】
サーバ４００は、第１の制御信号をウェアラブルデバイス１００に送信する場合、ユーザの周囲の状況に応じて、ウェアラブルデバイス１００から吹き出させる香料の種類および量を示す情報を第１の制御信号に含めて送信してもよい。この場合、サーバ４００は、ユーザの周囲の状況を推定するために、位置情報およびスケジュール情報を取得し、第１の制御信号を生成する。次に、サーバ４００の第１の制御信号の生成方法について説明する。
【０１８０】
図１１は、サーバによる第１の制御信号の生成方法を示すフローチャートである。
【０１８１】
当該生成方法は、図１０のフローのうちのステップＳ１３５で快感情であると判定された後に行われてもよいし、ステップＳ１３５の判定を待たずに定期的に行われていてもよい。
【０１８２】
サーバ４００では、データ解析部４１５の第２の推定部４２３が記憶部４１４に記憶されている位置情報およびスケジュール情報を取得する（Ｓ１４１）。データ解析部４１５は、記憶部４１４に記憶されている位置情報およびスケジュール情報のうち最新の情報を取得する。
【０１８３】
第２の推定部４２３は、現在時刻、位置情報およびスケジュール情報に基づいて、ユーザの周囲の状況を推定する（Ｓ１４２）。第２の推定部４２３は、ユーザの近くに他の人がいる状況であるか、ユーザが食事中である状況であるか、どちらにも当てはまらない状況であるかを推定する。
【０１８４】
決定部４２４は、第２の推定部４２３が推定したユーザの周囲の状況に応じて、ウェアラブルデバイス１００に吹き出させる香料の種類および量を決定する（Ｓ１４３）。決定部４２４は、例えば、ユーザの近くに他の人がいる状況、ユーザが食事中である状況、および、どちらにも当てはまらない状況のそれぞれの状況に、種類および量が対応づけられたテーブルを参照することにより香料の種類および量を決定してもよい。テーブルは、例えば、記憶部４１４に記憶されている。つまり、決定部４２４は、テーブルを記憶部４１４から読み出して、決定部４２４により決定された状況に対応する種類および量に決定する。
【０１８５】
記憶部４１４は、決定部４２４により決定された種類および量を記憶する（Ｓ１４４）。なお、第１の制御信号の生成方法をステップＳ１３５の判定後に行う場合には、記憶部４１４が記憶するステップＳ１４４を行わなくてもよい。
【０１８６】
データ解析部４１５は、記憶部４１４に記憶された種類および量を示す情報を含めた第１の制御信号を生成する（Ｓ１４５）。
【０１８７】
送信部４１３は、生成された第１の制御信号をウェアラブルデバイス１００へ送信する（Ｓ１４６）。なお、第１の制御信号の生成方法をステップＳ１３５の判定後に行う場合には、送信部４１３は、第１の制御信号が生成されれば直ちに生成された第１の制御信号をウェアラブルデバイス１００へ送信する。そうでない場合には、送信部４１３は、ステップＳ１３５で快感情であることが判定されるまで第１の制御信号の送信を待機する。
【０１８８】
次に、機器制御方法のうちの、サーバ４００によるアロマ機器５００の制御方法について説明する。
【０１８９】
図１２は、サーバによるアロマ機器の制御方法の一例を示すフローチャートである。
【０１９０】
サーバ４００では、受信部４１２が位置情報を、通信ネットワーク３００を介して受信したか否かを判定する（Ｓ１５１）。
【０１９１】
受信部４１２が位置情報を受信した場合（Ｓ１５１でＹｅｓ）、記憶部４１４が、当該位置情報を記憶する（Ｓ１５２）。受信部４１２は、位置情報を受信していない場合（Ｓ１５１でＮｏ）、ステップＳ１５１を繰り返す。つまり、受信部４１２は、位置情報を受信するまで待機する。
【０１９２】
次に、データ解析部４１５は、記憶部４１４に記憶されている位置情報を用いて、ユーザの現在位置が所定の範囲（例えば自宅）であるか否かを判定する（Ｓ１５３）。
【０１９３】
送信部４１３は、ユーザの現在位置が所定の範囲であるとデータ解析部４１５が判定した場合（Ｓ１５３でＹｅｓ）、所定のタイミングであると判断し、第２の制御信号を、通信ネットワーク３００を介してアロマ機器５００へ送信する（Ｓ１５４）。
【０１９４】
一方で、ユーザの現在位置が所定の範囲でないとデータ解析部４１５が判定した場合（Ｓ１５３でＮｏ）、ステップＳ１５１を繰り返す。
【０１９５】
つまり、このフローでは、送信部４１３は、所定のタイミングになるまで第２の制御信号の送信を待機している。
【０１９６】
図１３は、サーバによるアロマ機器の制御方法の他の一例を示すフローチャートである。
【０１９７】
サーバ４００は、現在時刻が所定の時刻になったか否かを判定する（Ｓ１６１）。
【０１９８】
現在時刻が所定の時刻になったと判定された場合（Ｓ１６１でＹｅｓ）、送信部４１３は、所定のタイミングであると判断し、第２の制御信号を、通信ネットワーク３００を介してアロマ機器５００へ送信する（Ｓ１６２）。
【０１９９】
［１−４．効果など］
本実施の形態に係る機器制御システム１によれば、図１４の（ａ）に示すように、生体センサ１０１が検出したユーザＵの生体データからユーザＵが快感情になったか否かを判定し、ユーザＵが快感情になったと判定したタイミングでウェアラブルデバイス１００に香料を吹き出させる。このため、例えば外出時などに、ユーザＵが客観的に快感情になったタイミングでウェアラブルデバイス１００に香料を吹き出させることが容易にできる。これにより、ユーザＵが客観的に快感情になった体験を香料に含まれる匂いと関連づけてユーザＵに記憶させることができる。
【０２００】
また、図１４の（ｂ）に示すように、ユーザＵが帰宅後にベッド７００に寝転んでいるなどの所定のタイミングで、当該香料をユーザＵに対してアロマ機器５００に吹き出させることで、快感情になった体験を容易にユーザＵに思い出させることができる。これにより、ユーザＵの幸福感を向上させ、ユーザＵのストレスを軽減することができる。
【０２０１】
また、サーバ４００の受信部４１２は、ユーザの現在位置を示す位置情報を受信し、送信部４１３は、所定のタイミングとしての、位置情報が示す現在位置が所定の位置の範囲（例えば自宅）に含まれると判定したタイミングで、第２の制御情報をアロマ機器５００へ送信する。このため、例えば、ユーザが自宅にいる時など、ユーザがリラックスできる場所にいるタイミングで、快感情になった体験を容易にユーザに思い出させることができる。このため、効果的に、ユーザの幸福感を向上させ、ユーザのストレスを軽減することができる。
【０２０２】
また、サーバ４００の送信部４１３は、所定のタイミングとしての、現在時刻が予め定められた時刻になったタイミングで、第２の制御信号をアロマ機器５００へ送信する。このため、例えば、ユーザがリラックスしている時などのタイミングで、快感情になった体験を容易にユーザに思い出させることができる。このため、効果的に、ユーザの幸福感を向上させ、ユーザのストレスを軽減することができる。
【０２０３】
また、サーバ４００では、第２の推定部４２３がユーザの周囲の状況を推定し、決定部４２４が第２の推定部４２３が推定した結果に応じて、ウェアラブルデバイス１００に吹き出させる香料の種類および香料の量を決定する。このため、状況に応じた種類および量の香料をウェアラブルデバイス１００から吹き出させることができる。よって、ウェアラブルデバイス１００から香料を吹き出させることにより、ユーザに不快な体験をさせることを低減できる。
【０２０４】
具体的には、サーバ４００では、ユーザに近い位置に他の人がいる状況では、ユーザに近い位置に他の人がいない状況よりも香料の量を少ない量に決定する。このため、ユーザの近い位置にいる他の人にウェアラブルデバイス１００から吹き出された香料について気づかれることを低減できる。
【０２０５】
また、サーバ４００では、ユーザが食事中の状況では、香料の種類を森林の匂いに決定する。このため、ユーザが食事中であっても、食事の邪魔にならない種類の匂いに決定でき、ユーザに不快な体験をさせることを低減できる。
【０２０６】
［１−５．変形例］
［１−５−１．変形例１］
上記実施の形態に係る機器制御システム１では、ウェアラブルデバイス１００とサーバ４００との間の通信は、通信端末２００を仲介して行われるとしたが、これに限らない。つまり、図１５に示すように、通信端末２００を仲介せずにウェアラブルデバイス１００Ａとサーバ４００とが通信する構成の機器制御システム１Ａとしてもよい。図１５は、変形例１に係る機器制御システムの機能構成の一例を示すブロック図である。
【０２０７】
この場合、ウェアラブルデバイス１００Ａの通信部１２２Ａ（送信部１２３Ａおよび受信部１２４Ａ）の構成が、例えば、実施の形態の通信端末２００の第２の通信部２１２と同様の構成である。つまり、ウェアラブルデバイス１００Ａは、通信端末２００の通信機能のうち、通信ネットワーク３００に直接接続できる機能を有する構成である。したがって、ウェアラブルデバイス１００Ａは、ルータ６００との通信接続、または、移動通信システムの基地局３１０との通信接続により、通信ネットワーク３００と通信接続する。
【０２０８】
また、ウェアラブルデバイス１００Ａは、通信端末２００が検出部１２１、制御部１２５および吹き出し部１２６を有する構成であるともいえる。つまり、ウェアラブルデバイス１００Ａには、スマートフォンやタブレット端末などに生体センサおよびデバイスが組み込まれた構成も含まれる。
【０２０９】
なお、変形例１の機器制御システム１Ａの通信ネットワーク３００、サーバ４００およびアロマ機器５００の構成の詳細は、実施の形態の機器制御システム１の通信ネットワーク３００、サーバ４００およびアロマ機器５００と同様であるので説明を省略する。
【０２１０】
［１−５−２．変形例２］
上記実施の形態に係る機器制御システム１では、通信ネットワーク３００を介して接続されたサーバ４００によって、ウェアラブルデバイス１００およびアロマ機器５００が香料を吹き出す制御を行うとしたが、これに限らない。つまり、図１６に示すように、サーバ４００の機能構成を有する通信端末４００Ｂが、サーバ４００の代わりにウェアラブルデバイス１００およびアロマ機器５００が香料を吹き出す制御を行う構成の機器制御システム１Ｂとしてもよい。図１６は、変形例２に係る機器制御システムの機能構成の一例を示すブロック図である。
【０２１１】
この場合、通信端末４００Ｂの通信部４１１Ｂ（受信部４１２Ｂおよび送信部４１３Ｂ）は、例えば、通信端末２００の第１の通信部２１１と同様の構成である。つまり、通信端末４００Ｂは、ウェアラブルデバイス１００およびアロマ機器５００と、Ｂｌｕｅｔｏｏｔｈ（登録商標）により接続されてもよいし、無線ＬＡＮ（例えばＷｉ−Ｆｉ）により接続されてもよい。通信端末４００Ｂは、Ｗｉ−Ｆｉで接続される場合には、機器間通信で接続される。ただし、通信端末４００Ｂは、アロマ機器５００との間であればルータ６００経由で無線ＬＡＮにより接続されてもよい。
【０２１２】
通信端末４００Ｂの記憶部４１４およびデータ解析部４１５は、サーバ４００の記憶部４１４およびデータ解析部４１５と同様であるため、詳細な説明を省略する。また、通信端末４００Ｂは、通信端末２００の位置検出部２１３および入力ＩＦ２１４の機能を有していてもよい。
【０２１３】
つまり、通信端末４００Ｂは、感情を推定する機能を有する。なお、図示しないが、ウェアラブルデバイスが感情を推定する機能を有していてもよい。
【０２１４】
［１−５−３．変形例３］
上記実施の形態に係る機器制御システム１では、環境制御装置は、ウェアラブルデバイス１００とは異なり、据え置き型のアロマ機器５００としたが、携帯型の機器であってもよく、ウェアラブルデバイス１００であってもよい。つまり、サーバ４００は、第２の制御信号をウェアラブルデバイス１００に送信し、ウェアラブルデバイス１００は、第２の制御信号を受信したタイミングで香料を吹き出してもよい。
【０２１５】
［１−５−４．変形例４］
上記実施の形態では、所定のタイミングをユーザが帰宅したタイミングとしたが、これに限らない。例えば、ユーザがリラックスしているタイミングであればよい。例えば、ユーザがリラックスしているタイミングとしては、ユーザが入浴しているタイミングであってもよいし、ユーザがリビングのソファや寝室のベッドに寝転んでいるタイミングであってもよい。上記のタイミングは、浴室、リビング、ベッドなどの各部屋の照明が点灯したことを検出することにより、ユーザがいる部屋を検出できるため、ユーザがリラックスしているタイミングと推定できる。この場合、各部屋の照明機器のオンオフの情報が通信ネットワーク３００を介してサーバ４００に送信される。
【０２１６】
また、照明機器の代わりに、各部屋に設置されている他の電気機器に対するオンオフや操作を検出することにより、ユーザがいる部屋を検出してもよい。また、各部屋に赤外線センサなどの人検出センサを設置していれば、人検出センサの結果を参照することにより、ユーザがいる部屋を検出してもよい。また、人検出センサをソファやベッドに設置することでユーザがソファやベッドを利用していることを検出してもよい。また、各部屋に設置されているタグにウェアラブルデバイス１００や通信端末２００をかざすことによりウェアラブルデバイス１００や通信端末２００が検出してもよい。
【０２１７】
また、通信端末２００がルータ６００と通信している場合には、ルータ６００との間の受信信号強度を参照することで、ユーザがどの部屋にいるのかを検出してもよい。この場合、ユーザが各部屋にいる場合の通信端末２００とルータ６００との間の受信信号強度とが予め対応づけられているものとする。
【０２１８】
また、ユーザがソファやベッドに寝転んでいるか否かの判断は、通信端末２００に加速度センサやジャイロセンサなどが搭載されていれば、加速度センサやジャイロセンサなどの検出結果を用いて検出してもよい。
【０２１９】
また、ウェアラブルデバイス１００で検出した生体データからユーザがリラックスしている状態であるか否かを判定してもよい。
【０２２０】
［１−５−５．変形例５］
サーバ４００では、第１の推定部４２１は、さらに、感情の度合いを推定しており、判定部４２２は、ユーザが快感情であると判定した場合、記憶部４１４にユーザが快感情になった度合いを記憶させていてもよい。
【０２２１】
また、判定部４２２は、ユーザが快感情であるか否かを判定するステップＳ１３５の代わりに、ユーザの快感情の度合いが所定の閾値以上か否かを判定してもよい。
【０２２２】
［１−５−６．変形例６］
サーバ４００は、所定期間（例えば１日）のうちで快感情になったと２回以上判定した場合、２回目にユーザが快感情になったときには１回目にユーザが快感情になったときとは異なる匂い成分の香料をウェアラブルデバイス１００から吹き出させる第１の制御信号を生成してもよい。また、同様に、３回目にユーザが快感情になったときには１回目および２回目にユーザが快感情になったときとは異なる匂い成分の香料をウェアラブルデバイス１００から吹き出させる第１の制御信号を生成してもよい。これにより、ユーザが快感情になった体験毎に異なる匂い成分の香料を吹き出させることができる。
【０２２３】
また、サーバ４００は、変形例５のように快感情の度合いを記憶部４１４に記憶させる場合、第１の制御信号を送信する場合に、吹き出す香料の種類と、快感情の度合いとを対応づけて記憶部４１４に記憶しておいてもよい。そして、サーバ４００は、例えば、アロマ機器５００に第２の制御信号を送信する場合に、ユーザが体験した複数回の快感情の体験時に吹き出した香料のうち、強い快感情の体験時に吹き出した香料の種類を示す情報を第２の制御信号に含めることができる。このため、サーバ４００は、強い快感情の体験時に吹き出した種類の香料を、例えば、優先的にアロマ機器５００に吹き出させることができる。よって、ユーザに、１日のうちの快感情の体験のうち、強い快感情の体験を優先的に思い出させることができ、効果的に、ユーザの幸福感を向上させ、ユーザのストレスを軽減することができる。
【０２２４】
つまり、ウェアラブルデバイス１００では、デバイス１０４は、第１の格納部１０３ａに格納されている第１の香料と、第２の格納部に格納されている第２の香料との少なくとも一方を用いることにより、前回吹き出した香料とは別の匂い成分を含む香料を吹き出す。
【０２２５】
［１−５−７．変形例７］
上記実施の形態に係る機器制御システム１では、ウェアラブルデバイス１００が検出した生体データを演算処理した結果、ユーザが快感情であるとサーバ４００が判定した時に、ウェアラブルデバイス１００に香料を吹き出させることで、快感情の体験と香料に含まれる匂いとの対応付けを行うとしたがこれに限らない。つまり、サーバ４００は、ユーザが快感情であると判定した時に、ウェアラブルデバイス１００に香料を吹き出させなくてもよい。具体的には、ユーザが快感情であるときにユーザの周囲の匂いを検出して、ユーザが嗅いだと推測される匂いも取得することで、ユーザが快感情となった体験と匂いとの対応付けを特定してもよい。なお、この場合、ウェアラブルデバイスに匂いを検出するための匂いセンサが搭載されている必要がある。
【０２２６】
例えば、ユーザが焼き肉を食べているときに快感情になっていれば、焼き肉の匂いを検出し、焼き肉の匂いと快感情の度合い（変形例５参照）とを対応付けして記憶する。そして、所定のタイミングで、サーバ４００は、第２の制御信号に、匂いの種類としての焼き肉の匂いを示す情報を含めてアロマ機器５００へ送信することでアロマ機器５００に焼き肉の匂いを含む香料を吹き出させてもよい。なお、焼き肉に限らずに、花の匂い、果実の匂いなど、ユーザが快感情になったときにも適用できる。このように、例えば比較的強い匂いを検出している場合や匂いの種類が変化した場合、匂いの強度が強い方に変化した場合などにおいて、さらに、ユーザが快感情になったと判定した場合、ウェアラブルデバイスに香料を吹き出させるのではなく、検出した匂いと快感情の度合いとを対応付けして記憶してもよい。
【０２２７】
［１−５−８．変形例８］
上記実施の形態に係る機器制御システム１では、サーバ４００の第２の推定部４２３は、ユーザの周囲の状況として、ユーザに近い位置に他の人がいる状態であるか否かを推定しているが、ユーザが存在する空間に複数の人が存在するか否かを推定してもよい。この場合、決定部４２４は、ユーザを含む複数の人が共通して好む匂い成分を含む香料の種類に決定してもよい。この場合、同じ空間に存在する複数の人を識別する情報を取得することと、当該複数の人の好みの匂い成分を示す情報を取得することとが必要となる。例えば、複数の人がウェアラブルデバイス１００を所持している場合には、ウェアラブルデバイス１００からユーザ識別情報を取得してもよい。また、複数の人の好みの匂い成分を示す情報は、例えば、ウェアラブルデバイス１００の使用開始時に、当該複数の人のそれぞれに入力させることで生成してもよい。
【０２２８】
［１−５−９．変形例９］
上記実施の形態に係るウェアラブルデバイス１００は、ユーザの生体データを検出する生体センサ１０１を備える構成であるが、生体センサ１０１を備える構成でなくてもよい。つまり、ウェアラブルデバイスは、外部に設けられた、ユーザの生体データを検出する生体センサから、当該生体データを取得できる構成であればよい。
【０２２９】
［１−５−１０．変形例１０］
上記実施の形態に係る通信端末２００は、ＧＰＳモジュール２０４を備える構成であるが、ＧＰＳモジュール２０４を備える構成でなくてもよい。つまり、通信端末は、外部に設けられた、ユーザの位置を推定するＧＰＳモジュールを有する別のデバイスから、推定した位置を示す位置情報を取得できる構成であればよい。
【０２３０】
［１−６．その他］
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の香料吹き出し方法などを実現するソフトウェアは、次のようなプログラムである。
【０２３１】
すなわち、このプログラムは、ユーザの生体データを検出する生体センサと、情報処理装置と通信する第１の通信インタフェースと、所定の匂い成分を含む香料を格納する格納部と、前記格納部に格納されている前記香料を吹き出すデバイスと、第１のコンピュータとを備えるウェアラブルデバイスが行う香料吹き出し方法であって、前記ユーザの生体データを、前記生体センサで検出し、前記第１のコンピュータが、前記生体センサにより検出された前記生体データを、前記第１の通信インタフェースを用いて前記情報処理装置へ送信し、前記第１のコンピュータが、第１の制御信号を情報処理装置から前記第１の通信インタフェースを用いて受信し、前記第１のコンピュータが、前記第１の制御信号を受信したタイミングで、前記ウェアラブルデバイスが備える格納部に格納されている香料を前記ウェアラブルデバイスが備えるデバイスを用いて吹き出させる香料吹き出し方法を、ウェアラブルデバイスの第１のコンピュータに実行させる。
【０２３２】
また、上記各実施の形態の機器制御方法などを実現するソフトウェアは、次のようなプログラムである。
【０２３３】
すなわち、このプログラムは、ウェアラブルデバイスおよび環境制御装置に通信接続されている情報処理装置が備えるコンピュータが行う機器制御方法であって、前記ウェアラブルデバイスが備える生体センサにより検出されたユーザの生体データを受信させ、受信した前記生体データを演算処理して前記ユーザの感情を推定させ、推定した前記ユーザの感情が快感情であるか否かを判定させ、前記判定の結果、前記ユーザが快感情である場合、前記ウェアラブルデバイスが備える、香料を吹き出すデバイスに、前記香料を吹き出させ、前記香料を吹き出させた後に所定のタイミングになったか否かを判定させ、前記所定のタイミングになったと判定した場合、前記香料を保持する環境制御装置に、前記香料を吹き出させる機器制御方法を、情報処理装置のコンピュータに実行させる。
【０２３４】
本開示において、ユニット、デバイスの全部又は一部、又は図６、図７、図１５および図１６に示されるブロック図の機能ブロックの全部又は一部は、半導体装置、半導体集積回路（ＩＣ）、又はＬＳＩ（large scale integration）を含む一つ又は一つ以上の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ(very large scale integration)、若しくはＵＬＳＩ(ultra large scale integration) と呼ばれるかもしれない。ＬＳＩの製造後にプログラムされる、Field Programmable Gate Array (FPGA)、又はＬＳＩ内部の接合関係の再構成又はＬＳＩ内部の回路区画のセットアップができるreconfigurable logic deviceも同じ目的で使うことができる。
【０２３５】
さらに、ユニット、装置、又は装置の一部の、全部又は一部の機能又は操作は、ソフトウェア処理によって実行することが可能である。この場合、ソフトウェアは一つ又は一つ以上のＲＯＭ、光学ディスク、ハードディスクドライブ、などの非一時的記録媒体に記録され、ソフトウェアが、処理装置（processor）によって実行された場合に、ソフトウェアは、ソフトウェア内の特定の機能を、処理装置（processor）と周辺のデバイスに実行させる。システム又は装置は、ソフトウェアが記録されている一つ又は一つ以上の非一時的記録媒体、処理装置（processor）、及び必要とされるハードウェアデバイス、例えばインタフェース、を備えていてもよい。
【０２３６】
以上、本発明の一つまたは複数の態様に係る機器制御システム、ウェアラブルデバイス、情報処理装置、香料吹き出し方法および機器制御方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０２３７】
本開示は、ユーザの幸福感を向上させ、ユーザのストレスを軽減することができる機器制御システム、ウェアラブルデバイス、情報処理装置、香料吹き出し方法および機器制御方法などとして有用である。
【符号の説明】
【０２３８】
１、１Ａ、１Ｂ    機器制御システム
１００、１００Ａ    ウェアラブルデバイス
１０１    生体センサ
１０２    コンピュータ
１０３    格納部
１０３ａ    第１の格納部
１０３ｂ    第２の格納部
１０３ｃ    第３の格納部
１０４    デバイス
１０５    通信ＩＦ
１０６    バッテリ
１１０ａ〜１１０ｃ    流路
１１１ａ〜１１１ｃ    バルブ
１１２    振動素子
１１３    空間
１１４    ノズル
１２１    検出部
１２２、１２２Ａ    通信部
１２３、１２３Ａ    送信部
１２４、１２４Ａ    受信部
１２５    制御部
１２６    吹き出し部
２００    通信端末
２０１    コンピュータ
２０２    第１の通信ＩＦ
２０３    第２の通信ＩＦ
２０４    ＧＰＳモジュール
２０５    ディスプレイ
２０６    タッチパネル
２０７    バッテリ
２１１    第１の通信部
２１２    第２の通信部
２１３    位置検出部
２１４    入力ＩＦ
３００    通信ネットワーク
３１０    基地局
４００、４００Ｂ    サーバ
４０１    コンピュータ
４０２    通信ＩＦ
４０３    電源
４１１、４１１Ｂ    通信部
４１２、４１２Ｂ    受信部
４１３、４１３Ｂ    送信部
４１４    記憶部
４１５    データ解析部
４２１    第１の推定部
４２２    判定部
４２３    第２の推定部
４２４    決定部
５００    アロマ機器
５０１    コンピュータ
５０２    通信ＩＦ
５０３    格納部
５０４    デバイス
５０５    操作ＩＦ
５０６    電源
５１１    受信部
５１２    制御部
５１３    吹き出し部
５１４    操作部
６００    ルータ
７００    ベッド
【図１】
2017221640.tif 000003
【図２】
2017221640.tif 000004
【図３】
2017221640.tif 000005
【図４】
2017221640.tif 000006
【図５】
2017221640.tif 000007
【図６】
2017221640.tif 000008
【図７】
2017221640.tif 000009
【図８】
2017221640.tif 000010
【図９】
2017221640.tif 000011
【図１０】
2017221640.tif 000012
【図１１】
2017221640.tif 000013
【図１２】
2017221640.tif 000014
【図１３】
2017221640.tif 000015
【図１４】
2017221640.tif 000016
【図１５】
2017221640.tif 000017
【図１６】
2017221640.tif 000018